(57)【要約】【課題】試錐孔に円筒形状の試錐孔ケーシングを設置する方法が提案され、このような試錐孔ケーシングを牽引誘導据置台に連携して土壌内部の状態をより容易に観察および測定するための技術が求められている実情にある。【解決手段】本発明は、その端部に各種原位置物性の測定、孔内を観察するための測定器具であるゾンデが設置され、巻き上げ機に巻き取られた牽引ロープをケーシングが設置された試錐孔の上端に引き入れたり引き出したりするための牽引ロープ誘導据置台であって、前記牽引ロープが設置されるための一対のローラと、前記一対のローラを固定させるための固定片がその両端部にそれぞれ備えられる移動部材とを含む牽引ロープ誘導本体；および前記試錐孔ケーシングに設置される前記移動部材の下部に設置される固定部材と、前記固定部材の下部に備えられる締結部材とを含む据置本体；を含んで構成されることを特徴とする。【選択図】図２
2010144508.tif 000002
【特許請求の範囲】
【請求項１】
端部に地下内部の状態を観察および測定するためのゾンデが設置され、巻き上げ機に巻き取られる牽引ロープを試錐孔ケーシングが設置される試錐孔に引き入れたり引き出したりするための牽引ロープ誘導据置台であって、
前記牽引ロープが設置されるための一対のローラと、前記一対のローラを固定させるための固定片がその両端部にそれぞれ備えられる移動部材とを含む牽引ロープ誘導本体；および
前記試錐孔ケーシングに設置され、前記移動部材の下部に設置される固定部材と、前記固定部材の下部に備えられる締結部材とを含む据置本体；
を含んで構成されることを特徴とする孔内装置牽引ロープ誘導据置台。
【請求項２】
前記移動部材の一側面にスロット形状で形成される、少なくとも１つ以上の距離調節孔が貫通形成されることを特徴とする、請求項１に記載の孔内装置牽引ロープ誘導据置台。
【請求項３】
前記固定部材は、前記移動部材の各距離調節孔に固定ボルトと固定ナットでそれぞれ連結および固定されることを特徴とする、請求項１または２に記載の孔内装置牽引ロープ誘導据置台。
【請求項４】
前記固定ボルトと固定ナットの締結設定および解除により、前記据置本体を中心として牽引ロープ誘導本体が前／後進移動可能に形成されることを特徴とする、請求項３に記載の孔内装置牽引ロープ誘導据置台。
【請求項５】
前記締結部材は、回転によって前／後進移動する加圧部材と、前記加圧部材の前進時にその端部が接触する締結板とを含んで構成されることを特徴とする、請求項２に記載の孔内装置牽引ロープ誘導据置台。
【請求項６】
前記牽引ロープ誘導本体の各固定片の長さが可変可能に形成されることを特徴とする、請求項１に記載の孔内装置牽引ロープ誘導据置台。
【発明の詳細な説明】
【技術分野】
【０００１】
本発明は、牽引ロープ誘導据置台に関し、より詳しくは、地下構造、地質状態、または土壌状態などを探査、観察、および調査するための測定器具であるゾンデ（Ｓｏｎｄｅ）が連結された牽引ロープを、試錐孔（Ｂｏｒｅｈｏｌｅ）のような孔を介して地下に引き入れたり引出したりするための孔内装置牽引ロープ誘導据置台に関する。
【背景技術】
【０００２】
一般的に、地下構造、地質状態、または土壌状態など地層内部の様々な情報を得るためには、地下内部にゾンデのような測定器具を引き入れたり引き出したりして、それぞれの深度で探査または測定作業を行う。このとき、前記測定器具は牽引ロープに連結し、この牽引ロープは、巻き上げ装置（ｗｉｎｃｈ）および牽引ロープ誘導据置台によって前記測定器具を試錐孔内部に引き入れたり引き出したりするようになる。
【０００３】
このように、牽引ロープ誘導据置台を介して試錐孔内に様々な調査用測定器具または実験用装置などを挿入させることができるため、地殻内部の構造や状況を調査することができるだけでなく、その他にも発電所のダム工事や建物の基礎調査などの用途としても用いられる。
【０００４】
上述したような牽引ロープ誘導据置台は、図１に示すようにバー形状で形成され、その一側端部が相互交差するように設置される各支持部材１０１ａ、１０１ｂ、１０１ｃと、前記各支持部材１０１ａ、１０１ｂ、１０１ｃの交差部位に設置されて巻き上げ機（Ｗｉｎｃｈ：図示せず）に巻き取られる牽引ロープ１０５が位置するローラ１０３とを含んで構成される。
【０００５】
このような牽引ロープ誘導据置台１００は、観察および調査のための土壌に試錐装置などを介して試錐孔（図示せず）を形成し、前記試錐孔（図示せず）に近接する一側に複数の支持部材１０１ａ、１０１ｂ、１０１ｃを相互交差するように設置した後、前記各支持部材の交差部位にローラ１０３を設置した後、前記ローラ１０３に牽引ロープ１０５を位置させることによって設置が完了する。
【０００６】
このとき、前記ローラ１０３に位置する牽引ロープ１０５の端部、すなわち前記試錐孔（図示せず）に投入される牽引ロープ１０５の端部には、ゾンデ（Ｓｏｎｄｅ）１０９などの測定器具が設置される。
【０００７】
このように設置が完了した牽引ロープ誘導据置台１００を介して、地上に位置する作業者または観察者が巻き上げ機（図示せず）を介して牽引ロープ１０５の端部に備えられるゾンデ１０９を試錐孔（図示せず）の内部に引き入れて、土壌内部の状態を観察および測定する。
【０００８】
しかしながら、上述したような牽引ロープ誘導据置台は、作業者または観察者が試錐孔の一側地上に支持部材を交差および重なるように設置した後にローラを設置することによって、ローラの固定および支持が困難なだけでなく、土壌の高低が異なって地表の屈曲が大きい場合、支持部材の安定的な設置が困難であるという問題点があった。
【０００９】
これにより、地上に設置された支持部材の損傷によるローラの離脱と牽引ロープの離脱、および牽引ロープの端部に設置されるゾンデの破損など、牽引ロープ誘導据置台を介して土壌内部を観察および測定するための本然の目的を達成することは困難であるという問題点があった。
【００１０】
一方、牽引ロープに設置されたゾンデを介して土壌の内部を観察および測定するために試錐装置などで形成する試錐孔は、土砂の崩れまたはその他の状況によって塞がる場合が生じる。
【００１１】
上述したような問題点を解決するために、試錐孔に円筒形状の試錐孔ケーシングを設置する方法が提案され、このような試錐孔ケーシングを牽引誘導据置台に連携して土壌内部の状態をより容易に観察および測定するための技術が求められている実情にある。
【先行技術文献】
【特許文献】
【００１２】
【特許文献１】特開２００３−１１１２２７
【発明の概要】
【発明が解決しようとする課題】
【００１３】
本発明は、上記のような問題点を解決するために案出されたものであって、試錐孔（Ｂｏｒｅｈｏｌｅ）の試錐孔ケーシングに加圧部材で設置が容易であり、設置後に牽引ロープ誘導本体の距離調節が可能であり、牽引ロープに備えられるゾンデ（Ｓｏｎｄｅ）のような測定装置を試錐孔の中心部に位置させることができ、これによって土壌内部の状態を観察および測定することが容易な孔内装置牽引ロープ誘導据置台を提供することを目的とする。
【課題を解決するための手段】
【００１４】
上記した目的を達成するために、本発明は、その端部に土壌内部の状態を観察および測定するためのゾンデのような測定装置が設置され、巻き上げ機に巻き取られる牽引ロープを試錐孔ケーシングが設置される試錐孔に引き入れたり引き出したりするための牽引ロープ誘導据置台であって、
前記牽引ロープが設置されるための一対のローラと、前記一対のローラを固定させるための固定片がその両端部にそれぞれ備えられる移動部材とを含む牽引ロープ誘導本体；および
前記試錐孔ケーシングに設置され、前記移動部材の下部に設置される固定部材と、前記固定部材の下部に備えられる締結部材とを含む据置本体；
を含んで構成されることを特徴とする。
【００１５】
ここにおいて、前記移動部材の一側面にスロット形状で形成される、少なくとも１つ以上の距離調節孔が貫通形成される。
このとき、前記固定部材は、前記移動部材の各距離調節孔に固定ボルトと固定ナットでそれぞれ連結および固定される。
【００１６】
一方、前記固定ボルトと固定ナットの締結設定および解除により、前記据置本体を中心として牽引ロープ誘導本体が前／後進移動可能に形成される。
ここにおいて、前記締結部材は、回転によって前／後進移動する加圧部材と、前記加圧部材の前進時にその端部が接触する締結板を含んで構成される。
さらに、前記牽引ロープ誘導本体の各固定片の長さが可変可能に形成される。
【発明の効果】
【００１７】
以上で説明したように、上記のような構成を有する本発明は、試錐孔（Ｂｏｒｅｈｏｌｅ）の試錐孔ケーシングに加圧部材を介した据置本体の設置が容易であり、牽引ロープが設置される牽引ロープ誘導本体が据置本体を中心として前／後進移動して距離の調節が可能になることにより、試錐孔の大きさに関係なく牽引ロープに備えられるゾンデ（Ｓｏｎｄｅ）のような測定装置を試錐孔の中心部に位置させることが容易であり、これによって地下内部の状況を観察および測定することが容易なだけでなく、設置および除去が簡単かつ容易であるなどの効果を得ることができる。
【図面の簡単な説明】
【００１８】
【図１】一般的な牽引ロープ誘導据置台が設置された様子を概略的に示す斜視図である。
【図２】本発明に係る孔内装置牽引ロープ誘導据置台を概略的に示す正面斜視図である。
【図３】本発明に係る孔内装置牽引ロープ誘導据置台を概略的に示す背面斜視図である。
【図４】本発明に係る孔内装置牽引ロープ誘導据置台を概略的に示す側面図である。
【図５】本発明に係る孔内装置牽引ロープ誘導据置台の位置調整を概略的に示す斜視図である。
【図６】本発明に係る孔内装置牽引ロープ誘導据置台が設置された様子を概略的に示す斜視図である。
【図７】本発明に係る孔内装置牽引ロープ誘導据置台の他の実施形態を概略的に示す斜視図である。
【発明を実施するための形態】
【００１９】
以下、本発明の実施のための具体的な内容である実施形態について、添付の図面を参照しながら詳細に説明する。また、本実施形態は、本発明の権利範囲を限定するものではなく単に一例として提示されたものであり、その技術的要旨を逸脱しない範囲内で多様な変更が可能である。
【００２０】
図２は、本発明に係る孔内装置牽引ロープ誘導据置台を概略的に示す正面斜視図であり、図３は、本発明に係る孔内装置牽引ロープ誘導据置台を概略的に示す背面斜視図であり、図４は、本発明に係る孔内装置牽引ロープ誘導据置台を概略的に示す側面図であり、図５は、本発明に係る孔内装置牽引ロープ誘導据置台の位置調整を概略的に示す斜視図であり、図６は、本発明に係る孔内装置牽引ロープ誘導据置台が設置された様子を概略的に示す斜視図である。
【００２１】
図に示すように、本発明に係る孔内装置牽引ロープ誘導据置台１は、牽引ロープ誘導本体１０と、据置本体３０とを含んで構成される。
【００２２】
前記牽引ロープ誘導本体１０は、地上に設置される巻き上げ機（Ｗｉｎｃｈ：図示せず）に巻き取られる牽引ロープ３を地下内部に引き入れたり引き出したりするための一対のローラ１１、１１'と、前記一対のローラ１１、１１'を固定させるための固定片１４、１４'がその両端部にそれぞれ備えられる「Ｌ」字形状の移動部材１３と、前記移動部材１３の一側面にスロット形状で貫通形成され、少なくとも１つ以上で備えられる距離調節孔１６、１６'とを含んで構成される。
ここにおいて、前記各ローラ１１、１１'と各距離調節孔１６、１６'は、前記移動部材１３の長手方向にそれぞれ備えられる。
【００２３】
上述したような構造および形態により、前記牽引ロープ誘導本体１０は、巻き上げ機に巻き取される牽引ロープ３を地下内部に引き入れたり引き出したりすることを容易に実行し、前記牽引ロープ３の端部に設置される測定器であるゾンデ（Ｓｏｎｄｅ）７を介して作業者または観察者が地下内部の状態をモニタリングする。
【００２４】
このとき、前記ゾンデ７を介して作業者または観察者が地下内部の状態をモニタリングするために、前記牽引ロープ３は、電気および信号送受信ケーブル（図示せず）を含んで構成されることが好ましい。
【００２５】
前記据置本体３０は、試錐装置（図示せず）によって試錐された試錐孔（Ｂｏｒｅｈｏｌｅ：図示せず）の入口側に設置される円筒形状の試錐孔ケーシング５に設置されるためのものである。
【００２６】
このために、前記据置本体３０は、牽引ロープ誘導本体１０の移動部材１３の下部に設置されるために「ト」字形状で形成される固定部材３１と、前記固定部材３１の下部に備えられる締結部材３５とを含んで構成される。
【００２７】
ここにおいて、前記固定部材３１は、前記牽引ロープ誘導本体１０の移動部材１３に固定ボルト３３、３３'で連結および固定され、前記固定ボルト３３、３３'は、移動部材１３に長手方向にそれぞれ貫通形成される距離調節孔１６、１６'に固定ナット３２、３２'でそれぞれ結合される。
【００２８】
このとき、前記固定ボルト３３、３３'の締結設定および締結解除により、前記固定部材３１で移動部材１３を前／後進移動させたり、前／後進移動した移動部材１３を固定させることができる。
【００２９】
すなわち、前記各距離調節孔１６、１６'に結合された各固定ボルト３３、３３'を固定ナット３２、３２'でその締結を一部解除した後、前記固定部材３１上で移動部材１３を前／後進移動させ、前記移動部材１３を前／後進して一定の位置に位置させた後、前記各距離調節孔１６、１６'に結合された各固定ボルト３３、３３'の締結を設定し、前記固定部材３１を中心として移動部材１３の位置を移動および固定させることによって、据置本体３０を中心として牽引ロープ誘導本体１０を前／後進移動させることができる。
【００３０】
このとき、前記締結部材３５は、前記固定部材３１の下部に備えられるものの、回転によって前／後進移動する加圧部材３６と、前記加圧部材３６の前進時にその端部に接触する締結板３７とを含んで構成される。
【００３１】
以下、本発明に係る孔内装置牽引ロープ誘導据置台１の設置過程および動作過程について、図６を参照しながら説明する。
まず、地下内部の状態を観察および調査するための特定場所の地上において、試錐装置を介して試錐孔（Ｂｏｒｅｈｏｌｅ：図示せず）のような孔を形成する。
【００３２】
このように地下の状態を観察および調査するために土壌に試錐孔を形成した後、前記試錐孔の入口側に土砂の崩れまたは崩壊によって塞がることを防ぐための円筒形状の試錐孔ケーシング５を設置する。
【００３３】
上述したように、前記試錐孔の入口側に試錐孔ケーシング５を設置した後、前記試錐孔ケーシング５の周縁部に本発明に係る孔内装置牽引ロープ誘導据置台１を設置する。
【００３４】
すなわち、前記孔内装置牽引ロープ誘導据置台１の締結部材３５の加圧部材３６と締結板３７を一定の間隔で形成した後、前記締結部材３５を試錐孔ケーシング５の周縁部に位置させた後、前記締結部材３５の加圧部材３６を回転させて前記締結板３７側に向かって前進させ、前記孔内装置牽引ロープ誘導据置台１を試錐孔ケーシング５に設置する。
【００３５】
その次、地上の巻き上げ機（Ｗｉｎｃｈ：図示せず）に巻き取られる牽引ロープ３を、前記孔内装置牽引ロープ誘導据置台１に長手方向にそれぞれ備えられる一対のローラ１１、１１'に設置する。
【００３６】
このとき、前記巻き上げ機に巻き取られ、試錐孔ケーシング５を介して土壌の内部に引き入れられる牽引ロープ３の端部には、地下の状態を観察および調査するための測定器具であるゾンデ（Ｓｏｎｄｅ）７が設置される。
【００３７】
一方、前記孔内装置牽引ロープ誘導据置台１を試錐孔ケーシング５に設置するとき、前記孔内装置牽引ロープ誘導据置台１に設置される牽引ロープ３の端部のゾンデ７の位置を試錐孔ケーシング５の中心部に位置させる場合、前記牽引ロープ誘導本体１０と据置本体３０を連結および固定させ、前記牽引ロープ誘導本体１０の移動部材１３の各距離調節孔１６、１６'に結合された各固定ボルト３３、３３'と固定ナット３２、３２'との結合を解除した後、牽引ロープ誘導本体１０の位置を据置本体３０の長手方向に前進または後進させ、前記一対のローラ１１、１１'を介して土壌内部に引き入れられる牽引ロープ３のゾンデ７の位置を試錐孔ケーシング５の中心に位置させる。
【００３８】
上述したように、前記据置本体３０を中心として牽引ロープ誘導本体１０の位置を調整することができるため、牽引ロープ３の端部に設置されたゾンデ７の位置を試錐孔ケーシング５上で多様に変更することができる。
【００３９】
このように、前記孔内装置牽引ロープ誘導据置台１を試錐孔ケーシング５に設置すると同時に、前記孔内装置牽引ロープ誘導据置台１にゾンデ７が設置された牽引ロープ３を設置した後、地上に位置する作業者または観察者が巻き上げ機を作動させて牽引ロープ３の端部に設置されたゾンデ７を土壌内部に引き入れ、地下内部を探査して地下の状態を観察および調査する。
【００４０】
このとき、前記ゾンデ７を介して観察および調査された地下内部の状態を、牽引ロープ３に内蔵または別途で設置されるケーブルを介して地上でモニタリングする。
【００４１】
一方、図７に示すように、前記孔内装置牽引ロープ誘導据置台１の牽引ロープ誘導本体１０の両端部にそれぞれ備えられる固定片１４、１４'のうちのいずれか１つの固定片１４'の長さを異にすると同時に、各ローラ１１、１１'の位置を異にして巻き上げ機（Ｗｉｎｃｈ）に巻き取られる牽引ロープ３を傾くように位置させることにより、試錐孔内部にゾンデ７を引き入れたり引き出したりすることが容易なように形成することも好ましい。
【００４２】
本発明は、特定の実施形態に関して図示および説明したが、添付の特許請求の範囲によって示された発明の思想および領域から逸脱しない範囲内で多様な改造および変更が可能であることを、当業界において通常の知識を有する者であれば誰でも容易に理解することができるであろう。
【符号の説明】
【００４３】
１：孔内装置牽引ロープ誘導据置台
３：牽引ロープ
５：試錐孔ケーシング
７：ゾンデ
１０：牽引ロープ誘導本体
１１、１１'：ローラ
１３：移動部材
１４、１４'：固定片
１６、１６'：距離調節孔
３０：据置本体
３１：固定部材
３２、３２'：固定ナット
３３、３３'：固定ボルト
３５：締結部材
３６：加圧部材
３７：締結板
【図１】
2010144508.tif 000003
【図２】
2010144508.tif 000004
【図３】
2010144508.tif 000005
【図４】
2010144508.tif 000006
【図５】
2010144508.tif 000007
【図６】
2010144508.tif 000008
【図７】
2010144508.tif 000009